(57)【要約】【課題】洗濯物を収容する内槽内に給水管を通して給水して洗濯するとともに、温風供給手段により温風を送り込み乾燥する洗濯乾燥機において、乾燥性能を低下させることなく、給水時の残水を乾燥させ、乾燥時の衣類への水の滴下を防止する。【解決手段】洗濯物を収容する内槽４を外槽３に内包し、外槽３の上方開口側に外槽カバー３６を配し、内槽４内に温風供給手段４４により温風を送り込む。外槽カバー３６に内槽４内に給水する給水管４８と連通した給水部４９を配設し、給水部４９に給水管４８からの残水を受け止めるように残水溜め部５０を設ける。残水溜め部５０の近傍を温風の排気で乾燥するように構成する。【選択図】　図１
2004008545.tif 000002
【特許請求の範囲】
【請求項１】
洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部の近傍を温風の排気で乾燥するように構成した洗濯乾燥機。
【請求項２】
洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記給水部は、外槽カバー外に連通する排気口の一部を兼用した洗濯乾燥機。
【請求項３】
洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部は、前記内槽に送り込まれた温風の排気経路途中に位置する洗濯乾燥機。
【発明の詳細な説明】
【０００１】
【発明の属する技術分野】
本発明は、洗濯物を収容する内槽内に給水管を通して給水して洗濯するとともに、温風供給手段により温風を送り込み乾燥する洗濯乾燥機に関するものである。
【０００２】
【従来の技術】
従来、この種の洗濯乾燥機は図２に示すような構成が提案されている。以下、その構成について説明する。
【０００３】
図２に示すように、外枠１は、内部に複数のサスペンション２によって弾性的に吊り下げた外槽３を設け、脱水時の振動を吸収する構成としている。外槽３の内部に、洗濯物を収容する内槽４を脱水軸５を中心に回転可能に配設し、内槽４の内底部に洗濯物（以下、衣類という）を撹拌する回転翼６を洗濯軸７を中心に回転自在に配設している。内槽４の内部周壁に小孔（図示せず）を多数設けるとともに、上方には流体バランサー８を設けている。回転翼６は、外周部に傾斜面９を有する略皿状の基盤の上面に撹拌用突出部１０を形成することで、乾燥行程においては、衣類を回転翼６の回転による遠心力で傾斜面９に沿って上方へと舞い上がりやすくしている。
【０００４】
外槽３の底部にモータ１１を配設し、その回転力を洗濯時は洗濯軸７に伝達し、脱水時は脱水軸５に切り換えて伝達するクラッチ１２を介して、内槽４または回転翼６に連結している。
【０００５】
外枠１内の後方に熱交換器１３を配設し、一端は伸縮自在の下部蛇腹状ホース１４を介して外槽３の下部に接続し、他端は循環する温風に含まれるリントを回収するリントフィルター１５を介して循環用送風機１６の一端に接続している。循環用送風機１６の他端は、加熱手段であるヒータ１７を有する温風供給路１８に接続し、送風蛇腹ホース１９を通って内槽４へ繋がり、循環する温風循環経路２０を構成している。
【０００６】
略ドーナツ状の外槽カバー２１は外槽３の上方開口側に配設し、送風蛇腹ホース１９から温風を供給する温風供給口２２を設けている。また、この外槽カバー２１に内蓋２３を開閉自在に設け、閉時は外槽カバー２１の開口部を気密的に覆い、開時は衣類を出し入れ可能にしている。
【０００７】
外枠１の上部に開口部を有する外枠カバー２４を配設し、その開口部を開閉自在に覆う外蓋２５、操作表示手段２６、内槽４に給水する給水弁２７などを設けている。外槽３の底部には外槽３外に水を排水する排水弁２８を設けている。外枠１の後面に、送風によって外槽３、熱交換器１３等を冷却する冷却用送風機２９を配設している。
【０００８】
制御装置３０は、外枠１の下部に配設してマイクロコンピュータを具備し、モータ１１、クラッチ１２、循環用送風機１６、ヒータ１７、給水弁２７、排水弁２８、冷却用送風機２９などの動作を制御し、例えば、外槽３の温度を検知するサーミスタ３１、熱交換器１３の出口の循環風温度を検知するサーミスタ３２の検知出力をモニターし、乾燥終了を判定する等、洗い、すすぎ、脱水、乾燥の一連の行程を逐次制御する。
【０００９】
上記構成において動作を説明する。洗い行程では、外蓋２５と内蓋２３を開けて、内槽４に衣類を投入し運転を開始すると、給水弁２７が開き、外槽カバー２１に接続された給水管３３を通り、給水部３４を介して所定の水位まで給水された後、モータ１１を駆動する。伝達機構部のクラッチ１２によりモータ１１の動力が洗濯軸７を介して回転翼６に伝達されて回転し、撹拌用突出部１０により衣類が撹拌され、衣類同士または内槽４や回転翼６との接触により作用する機械力と水流により衣類の洗浄が行われる。
【００１０】
脱水行程では、洗濯終了後、排水弁２８を開いて内槽４内の水を排水した後、クラッチ１２を脱水側に切り換えて、モータ１１の動力を脱水軸５に伝達し内槽４を回転させ、遠心力により衣類から水分を分離する。
【００１１】
乾燥行程では、脱水終了後、排水弁２８を閉じ、クラッチ１２を洗濯側に切り換え、モータ１１の回転を回転翼６に伝達し、正転、反転させて撹拌用突出部１０で衣類を撹拌する。同時にヒータ１７によって加熱された温風を循環用送風機１６によって送風蛇腹ホース１９を通って温風供給口２２に送り、内槽４内に吹き込まれた温風は、衣類から水分を蒸発させながら下部蛇腹状ホース１４を通過し熱交換器１３へ送られる。
【００１２】
このとき、内槽４内に吹き込まれた温風の一部は、給水管３３から滴下し、給水部３４に設けられた残水溜め部３５に溜まった洗濯給水時の残水を乾燥させるのに用いる。
【００１３】
また、衣類の水分を奪って湿気を含んだ温風が、冷却送風機２９による外部空気の流入で冷却された外槽３の内壁や熱交換器１３内を通過するとき、水分の結露が起こり、湿った温風は除湿されて循環用送風機１６に戻る。この温風循環経路２０で温風を循環させ、内槽４内の衣類を乾燥させる。さらに、温風に含まれるリントを、温風循環経路２０に着脱可能に設けられたリントフィルター１５で回収することができる。
【００１４】
【発明が解決しようとする課題】
しかしながら、このような従来の構成では、衣類を乾燥させるために内槽４に送り込まれた温風の一部を残水の乾燥に用いているため、乾燥能力が低下しまうという問題を有していた。
【００１５】
本発明は上記課題を解決するもので、乾燥性能を低下させることなく、給水時の残水を乾燥させ、乾燥時の衣類への水の滴下を防止することを目的としている。
【００１６】
【課題を解決するための手段】
本発明は上記目的を達成するために、洗濯物を収容する内槽を外槽に内包し、外槽の上方開口側に外槽カバーを配し、内槽内に温風供給手段により温風を送り込み、外槽カバーに内槽内に給水する給水管と連通した給水部を配設し、給水部に給水管からの残水を受け止めるように残水溜め部を設け、残水溜め部の近傍を温風の排気で乾燥するように構成したものである。
【００１７】
これにより、乾燥性能を低下させることなく、給水時の残水を乾燥させ、乾燥時の衣類への水の滴下を防止することができる。
【００１８】
【発明の実施の形態】
本発明の請求項１に記載の発明は、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部の近傍を温風の排気で乾燥するように構成したものであり、乾燥性能を低下させることなく、給水時の残水を乾燥させ、乾燥時の衣類への水の滴下を防止することができる。
【００１９】
請求項２に記載の発明は、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記給水部は、外槽カバー外に連通する排気口の一部を兼用したものであり、給水時の残水を乾燥させ、乾燥時の衣類への水の滴下を防止することができるとともに、乾燥時の給水部や残水溜め部等へのリントの付着を給水時に洗い流すことができる。
【００２０】
請求項３に記載の発明は、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部は、前記内槽に送り込まれた温風の排気経路途中に位置するものであり、給水時の残水を乾燥させ、乾燥時の衣類への水の滴下を防止することができる。
【００２１】
【実施例】
以下、本発明の一実施例について、図面を参照しながら説明する。なお、従来例と同じ構成のものは同一符号を付して説明を省略する。
【００２２】
図１に示すように、外槽カバー３６は、略ドーナツ状に形成して外槽３の上方開口側に配設し、この外槽カバー３６の内方開口部を開閉自在に覆うように内蓋３７を配設している。外枠３８の上部に外枠カバー３９を配設し、この外枠カバー３９の後方内部に、乾燥用送風機４０を配設し、その一端は吸気フィルター４１を介して機体外に通じており、他端はヒータ４２を有する温風供給路４３に接続し、温風供給手段４４を構成している。温風供給路４３は送風蛇腹ホース４５につながり、外槽カバー３６に設けた温風供給口４６から内槽４内へ温風を供給するよう構成している。
【００２３】
外槽カバー３６には、給水弁４７に接続し、内槽４内に給水する給水管４８と連通した給水部４９を配設し、給水部４９に給水管４８からの残水を受け止めるように残水溜め部５０を設けている。
【００２４】
また、外槽カバー３６には、温風供給口４６から内槽４内に供給された温風を排気する排気口５１を形成し、残水溜め部５０の近傍を温風の排気で乾燥するように構成している。ここで、給水部４９は、外槽カバー３６外に連通する排気口５１の一部を兼用するとともに、残水溜め部５０は、内槽４に送り込まれた温風の排気経路途中に位置するよう構成している。
【００２５】
また、排気口５１の近傍には支持部材５２を固定し、排気フィルター５３を排気口５１を覆うように支持部材５２に着脱自在に取り付けている。
【００２６】
上記構成において動作を説明する。なお、洗い行程から脱水行程までの動作は従来例の動作と同じであるので説明を省略する。
【００２７】
乾燥行程に入ると、排水弁２８を閉じるとともにクラッチ１２を洗濯側に切り換える。そして、モータ１１を駆動して回転翼６に伝達し、回転翼６を正転、反転させて撹拌用突出部１０で衣類を引っかけて撹拌する。また、乾燥用送風機４０とヒータ４２に通電し、吸気フィルター４１を通して吸入した外気を温風に変え、温風供給口４６から、矢印で示すように、内槽４内に温風を吹き込む。この温風が撹拌中の衣類を暖め、衣類から水分を蒸発させた後、内槽４の上方に向かって上昇し、排気口５１から排出される。
【００２８】
したがって、乾燥時に、洗濯時に給水管４８に残水した残水が給水部４９に設けた残水溜め部５０に滴下する恐れがあるが、残水溜め部５０に滴下し、溜まった残水は排気の温風にて乾燥するので、乾燥中もしくは乾燥終了時に残水が衣類に滴下して衣類を濡らすのを防止することができる。
【００２９】
また、給水部４９は、外槽カバー３６外に連通する排気口５１の一部を兼用しているので、給水時に給水管４８に残水した残水を乾燥させることができ、乾燥時の衣類への水の滴下を防止することができるとともに、乾燥時には、リントが給水部４９や残水溜め部５０等へ付着する可能性もあるが、洗濯時に給水されるので、給水部４９や残水溜め部５０等へ付着したリントを洗い流すことができる。
【００３０】
また、残水溜め部５０は、内槽４に送り込まれた温風の排気経路途中に位置するので、給水時に給水管４８に残水した残水を乾燥させることができ、乾燥時の衣類への水の滴下を防止することができる。
【００３１】
【発明の効果】
以上のように本発明の請求項１に記載の発明によれば、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部の近傍を温風の排気で乾燥するように構成したから、乾燥性能を低下させることなく、給水時の残水を乾燥させ、乾燥時の衣類への水の滴下を防止することができる。
【００３２】
また、請求項２に記載の発明によれば、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記給水部は、外槽カバー外に連通する排気口の一部を兼用したから、乾燥性能を低下させることなく、給水時の残水を乾燥させ、乾燥時の衣類への水の滴下を防止することができるとともに、乾燥時の給水部や残水溜め部等へのリントの付着を給水時に洗い流すことができる。
【００３３】
また、請求項３に記載の発明によれば、洗濯物を収容する内槽と、この内槽を内包した外槽と、前記外槽の上方開口側に配した外槽カバーと、前記内槽内に温風を送り込む温風供給手段と、前記外槽カバーに配設し前記内槽内に給水する給水管と連通した給水部と、前記給水部に前記給水管からの残水を受け止めるように設けた残水溜め部とを備え、前記残水溜め部は、前記内槽に送り込まれた温風の排気経路途中に位置するから、乾燥性能を低下させることなく、給水時の残水を乾燥させ、乾燥時の衣類への水の滴下を防止することができる。
【図面の簡単な説明】
【図１】本発明の一実施例の洗濯乾燥機の縦断面図
【図２】従来の洗濯乾燥機の縦断面図
【符号の説明】
３　外槽
４　内槽
３６　外槽カバー
４４　温風供給手段
４８　給水管
４９　給水部
５０　残水溜め部
【図１】
2004008545.tif 000003
【図２】
2004008545.tif 000004